(57)【特許請求の範囲】
【請求項１】
無線通信システムで第１Ｄ２Ｄ（Ｄｅｖｉｃｅ−ｔｏ−Ｄｅｖｉｃｅ）端末によってＤ２Ｄ同期化信号を送信する方法であって、前記方法は、
Ｄ２Ｄ通信のための無線リソース設定情報を受信することであって、前記無線リソース設定情報は、複数のＤ２Ｄ無線リソースの中で前記Ｄ２Ｄ同期化信号を送信するためのサブフレームインデックスを指示する情報を含む、ことと、
前記サブフレームインデックスに対応する第２無線リソースを通じてルートシーケンスインデックスを用いて生成された前記Ｄ２Ｄ同期化信号を送信することと
を含み、
前記ルートシーケンスインデックスは、前記サブフレームインデックスから導出され、
前記複数のＤ２Ｄ無線リソースは、第１無線リソース及び前記第２無線リソースを含み、
前記第１無線リソースは、
ＷＡＮ（Ｗｉｄｅ  Ａｒｅａ  Ｎｅｔｗｏｒｋ）ベースの通信のために用いられるように定義される、方法。
【請求項２】
前記第１無線リソースは、
第２Ｄ２Ｄ端末によって、ＷＡＮ無線リソースと関連したＰＵＣＣＨ（Ｐｈｙｓｉｃａｌ  Ｕｐｌｉｎｋ  Ｃｏｎｔｒｏｌ  ＣＨａｎｎｅｌ）或いはＰＵＳＣＨ（Ｐｈｙｓｉｃａｌ  Ｕｐｌｉｎｋ  Ｓｈａｒｅｄ  ＣＨａｎｎｅｌ）のために用いられる、請求項１に記載の方法。
【請求項３】
前記サブフレームインデックスは、
Ｄ２ＤベースのＡＣＫ／ＮＡＣＫ（Ａｃｋｎｏｗｌｅｄｇｅｍｅｎｔ／Ｎｅｇａｔｉｖｅ−Ａｃｋｎｏｗｌｅｄｇｅｍｅｎｔ）の送信のために定義された下りリンクＨＡＲＱ参照設定に基づいた上りリンクサブフレームインデックスである、請求項１に記載の方法。
【請求項４】
前記サブフレームインデックスは、
ＷＡＮベースの通信のための上りリンク−下りリンク設定に基づいたインデックスに所定のオフセットを適用することによって得られる、請求項１に記載の方法。
【請求項５】
前記サブフレームインデックスは、３、４或いは８である、請求項１に記載の方法。
【請求項６】
前記Ｄ２Ｄ同期化信号の反復パターンは、
前記第２無線リソースの前記サブフレームインデックスによって決定される、請求項１に記載の方法。
【請求項７】
前記サブフレームインデックスは、予め定義されており、
前記Ｄ２Ｄ同期化信号は、
前記サブフレームインデックスに対応する無線リソース内で、前記Ｄ２Ｄ同期化信号が送信される所定の周期を有するウィンドウの位置を指示する、請求項１に記載の方法。
【請求項８】
前記サブフレームインデックスは、
前記Ｄ２Ｄ同期化信号のデコーディングのための参照信号のシーケンスを生成するために用いられる、請求項１に記載の方法。
【請求項９】
前記Ｄ２Ｄ同期化信号は、
Ｄ２Ｄ通信のためのリレー回数を指示する情報を含む、請求項１に記載の方法。
【請求項１０】
前記リレー回数を指示する情報は、ホップカウントと定義され、
前記Ｄ２Ｄ同期化信号は、
前記ホップカウント及びシステムフレームナンバーを含む、請求項９に記載の方法。
【請求項１１】
前記Ｄ２Ｄ同期化信号は、
サイドリンク同期化信号である、請求項１に記載の方法。
【請求項１２】
無線通信システムでＤ２Ｄ（Ｄｅｖｉｃｅ−ｔｏ−Ｄｅｖｉｃｅ）同期化信号を送信するように構成されたＤ２Ｄ端末であって、前記Ｄ２Ｄ端末は、
無線周波数（ＲＦ）ユニットと、
プロセッサと
を含み、
前記プロセッサは、
Ｄ２Ｄ通信のための無線リソース設定情報を受信するように前記ＲＦユニットを制御することであって、前記無線リソース設定情報は、複数のＤ２Ｄ無線リソースの中で前記Ｄ２Ｄ同期化信号を送信するためのサブフレームインデックスを指示する情報を含む、ことと、
前記サブフレームインデックスに対応する第２無線リソースを通じてルートシーケンスインデックスを用いて生成された前記Ｄ２Ｄ同期化信号を送信するように前記ＲＦユニットを制御することと
を実行するように構成され、
前記ルートシーケンスインデックスは、前記サブフレームインデックスから導出され、
前記複数のＤ２Ｄ無線リソースは、第１無線リソース及び前記第２無線リソースを含み、
前記第１無線リソースは、
ＷＡＮベースの通信のために用いられるように定義される、Ｄ２Ｄ端末。
【発明の詳細な説明】
【技術分野】
【０００１】
本発明は、無線通信システムに関し、より詳細には、無線通信システムにおけるＤ２Ｄ（Ｄｅｖｉｃｅ−ｔｏ−Ｄｅｖｉｃｅ）通信のための同期化信号送信方法及びこのための装置に関する。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳ網の構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７及びＲｅｌｅａｓｅ  ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５、２．５、５、１０、１５、２０ＭＨｚなどの帯域幅のいずれか一つに設定され、複数の端末に下り又は上り送信サービスを提供する。異なったセルは、互いに異なった帯域幅を提供するように設定することができる。基地局は、複数の端末に関するデータ送受信を制御する。下りリンク（Ｄｏｗｎｌｉｎｋ；ＤＬ）データについて、基地局は、下りリンクスケジューリング情報を送信し、該当端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は、上りリンクスケジューリング情報を該当端末に送信し、該当端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡ（登録商標）に基づいてＬＴＥまで開発されているが、ユーザと事業者の要求と期待は増す一方である。その上、他の無線接続技術の開発が続いており、将来、競争力を有するためには新しい技術進化が要求される。ビット当たりのコストの削減、サービス可用性の増大、柔軟な周波数バンドの使用、単純構造と開放型インターフェース、端末の適度な電力消耗などが要求される。
【０００７】
端末は、基地局の無線通信システムの効率的な運用を補助するために、現在チャネルの状態情報を基地局に周期的及び／又は非周期的に報告する。このように報告されるチャネルの状態情報は様々な状況を考慮して計算された結果を含み得るため、より効率的な報告方法が要求されている実情である。
【発明の概要】
【発明が解決しようとする課題】
【０００８】
上述した論議に基づいて、以下では、無線通信システムにおけるＤ２Ｄ（Ｄｅｖｉｃｅ−ｔｏ−Ｄｅｖｉｃｅ）通信のための同期化信号送信方法及びこのための装置を提案しようとする。
【０００９】
本発明で達成しようとする技術的課題は、前記技術的課題に制限されなく、言及していない他の技術的課題は、下記の記載から本発明の属する技術分野で通常の知識を有する者に明確に理解され得るだろう。
【課題を解決するための手段】
【００１０】
上述した問題を解決するための本発明の一様相である、無線通信システムで第１端末のＤ２Ｄ同期化信号（Ｄｅｖｉｃｅ−ｔｏ−Ｄｅｖｉｃｅ  Ｓｙｎｃｈｒｏｎｉｚａｔｉｏｎ  Ｓｉｇｎａｌ）を送信する方法は、Ｄ２Ｄ（Ｄｅｖｉｃｅ−ｔｏ−Ｄｅｖｉｃｅ）通信のための無線リソース設定を受信すること；及び前記無線リソース設定に基づいた多数のＤ２Ｄ無線リソースのうち、第１無線リソースを除いた特定インデックスに対応する第２無線リソースを通じてＤ２Ｄ同期化信号を送信すること；を含み、前記第１無線リソースは、ＷＡＮ（Ｗｉｄｅ  Ａｒｅａ  Ｎｅｔｗｏｒｋ）ベースの通信のために用いられるように定義することができる。
【００１１】
さらに、前記第１無線リソースは、第２端末がＷＡＮ無線リソースと関連したＰＵＣＣＨ（Ｐｈｙｓｉｃａｌ  Ｕｐｌｉｎｋ  Ｃｏｎｔｒｏｌ  ＣＨａｎｎｅｌ）或いはＰＵＳＣＨ（Ｐｈｙｓｉｃａｌ  Ｕｐｌｉｎｋ  Ｓｈａｒｅｄ  ＣＨａｎｎｅｌ）のために用いることを特徴とすることができる。
【００１２】
さらに、前記特定インデックスは、前記Ｄ２Ｄベースの上りリンク制御情報（Ｕｐｌｉｎｋ  Ｃｏｎｔｒｏｌ  Ｉｎｆｏｒｍａｔｉｏｎ、ＵＣＩ）送信のための多数の無線リソースインデックスがシフトされるように定義することができる。
【００１３】
さらに、前記特定インデックスは、前記Ｄ２ＤベースのＡＣＫ／ＮＡＣＫ（Ａｃｋｎｏｗｌｅｄｇｅｍｅｎｔ／Ｎｅｇａｔｉｖｅ−Ａｃｋｎｏｗｌｅｄｇｅｍｅｎｔ）送信のために定義された下りリンクＨＡＲＱ参照設定（Ｄｏｗｎｌｉｎｋ  ＨＡＲＱ  Ｒｅｆｅｒｅｎｃｅ  Ｃｏｎｆｉｇｕｒａｔｉｏｎ）ベースの上りリンクインデックスであることを特徴とすることができる。
【００１４】
さらに、前記特定インデックスは、前記ＷＡＮベースの通信のための上りリンク−下りリンク設定ベースのインデックスに所定のオフセットが適用されたことを特徴とすることができる。
【００１５】
さらに、前記Ｄ２Ｄ同期化信号は、前記特定インデックスによってＤ２Ｄ同期化信号シーケンスが決定されたことを特徴とすることができる。
【００１６】
さらに、前記Ｄ２Ｄ同期化信号は、前記第２無線リソースのインデックスによってＤ２Ｄ同期化信号反復パターンが決定されることを特徴とすることができる。
【００１７】
さらに、前記特定インデックスは予め定義され、前記Ｄ２Ｄ同期化信号は、前記特定インデックスに対応する無線リソース内で、前記Ｄ２Ｄ同期化信号が送信される所定の周期を有するウィンドウの位置を指示することを特徴とすることができる。
【００１８】
さらに、前記特定インデックスは、前記Ｄ２Ｄ同期化信号のデコーディングのための参照信号のシーケンス生成のために使用されることを特徴とすることができる。
【００１９】
さらに、前記Ｄ２Ｄ同期化信号は、前記Ｄ２Ｄ通信のためのリレー回数を指示する情報を含むことを特徴とすることができる。さらに、前記リレー回数を指示する情報は、ホップカウント（Ｈｏｐ  Ｃｏｕｎｔ）と定義され、前記Ｄ２Ｄ同期化信号は、ホップカウント及びシステムフレームナンバーを含むことを特徴とすることができる。
【００２０】
さらに、前記Ｄ２Ｄ同期化信号は、サイドリンク同期化信号であることを特徴とする。
【００２１】
上述した問題を解決するための本発明の他の様相である、無線通信システムでＤ２Ｄ同期化信号（Ｄｅｖｉｃｅ−ｔｏ−Ｄｅｖｉｃｅ  Ｓｙｎｃｈｒｏｎｉｚａｔｉｏｎ  Ｓｉｇｎａｌ）を送信する第１端末は、無線周波数ユニット;及びプロセッサ；を含み、前記プロセッサは、Ｄ２Ｄ（Ｄｅｖｉｃｅ−ｔｏ−Ｄｅｖｉｃｅ）通信のための無線リソース設定を受信し、前記無線リソース設定に基づく多数のＤ２Ｄ無線リソースのうち、第１無線リソースを除いた特定インデックスに対応する第２無線リソースを通じてＤ２Ｄ同期化信号を送信するように構成され、前記第１無線リソースは、ＷＡＮ（Ｗｉｄｅ  Ａｒｅａ  Ｎｅｔｗｏｒｋ）ベースの通信のために用いられるように定義されることを特徴とする。
本明細書は、例えば、以下の項目も提供する。
（項目１）
無線通信システムで第１端末のＤ２Ｄ同期化信号（Ｄｅｖｉｃｅ−ｔｏ−Ｄｅｖｉｃｅ  Ｓｙｎｃｈｒｏｎｉｚａｔｉｏｎ  Ｓｉｇｎａｌ）を送信する方法において、
Ｄ２Ｄ（Ｄｅｖｉｃｅ−ｔｏ−Ｄｅｖｉｃｅ）通信のための無線リソース設定を受信すること；及び
前記無線リソース設定に基づいた多数のＤ２Ｄ無線リソースのうち、第１無線リソースを除いた特定インデックスに対応する第２無線リソースを通じてＤ２Ｄ同期化信号を送信すること；を含み、
前記第１無線リソースは、
ＷＡＮ（Ｗｉｄｅ  Ａｒｅａ  Ｎｅｔｗｏｒｋ）ベースの通信のために用いられるように定義される、Ｄ２Ｄ同期化信号送信方法。
（項目２）
前記第１無線リソースは、
第２端末がＷＡＮ無線リソースと関連したＰＵＣＣＨ（Ｐｈｙｓｉｃａｌ  Ｕｐｌｉｎｋ  Ｃｏｎｔｒｏｌ  ＣＨａｎｎｅｌ）或いはＰＵＳＣＨ（Ｐｈｙｓｉｃａｌ  Ｕｐｌｉｎｋ  Ｓｈａｒｅｄ  ＣＨａｎｎｅｌ）のために用いることを特徴とする、項目１に記載のＤ２Ｄ同期化信号送信方法。
（項目３）
前記特定インデックスは、
前記Ｄ２Ｄベースの上りリンク制御情報（Ｕｐｌｉｎｋ  Ｃｏｎｔｒｏｌ  Ｉｎｆｏｒｍａｔｉｏｎ、ＵＣＩ）送信のための多数の無線リソースインデックスがシフトされるように定義された、項目１に記載のＤ２Ｄ同期化信号送信方法。
（項目４）
前記特定インデックスは、
前記Ｄ２ＤベースのＡＣＫ／ＮＡＣＫ（Ａｃｋｎｏｗｌｅｄｇｅｍｅｎｔ／Ｎｅｇａｔｉｖｅ−Ａｃｋｎｏｗｌｅｄｇｅｍｅｎｔ）送信のために定義された下りリンクＨＡＲＱ参照設定（Ｄｏｗｎｌｉｎｋ  ＨＡＲＱ  Ｒｅｆｅｒｅｎｃｅ  Ｃｏｎｆｉｇｕｒａｔｉｏｎ）ベースの上りリンクインデックスである、項目１に記載のＤ２Ｄ同期化信号送信方法。
（項目５）
前記特定インデックスは、
前記ＷＡＮベースの通信のための上りリンク−下りリンク設定ベースのインデックスに所定のオフセットが適用されたことを特徴とする、項目１に記載のＤ２Ｄ同期化信号送信方法。
（項目６）
前記Ｄ２Ｄ同期化信号は、
前記特定インデックスによってＤ２Ｄ同期化信号シーケンスが決定されたことを特徴とする、項目１に記載のＤ２Ｄ同期化信号送信方法。
（項目７）
前記Ｄ２Ｄ同期化信号は、
前記第２無線リソースのインデックスによってＤ２Ｄ同期化信号反復パターンが決定されることを特徴とする、項目１に記載のＤ２Ｄ同期化信号送信方法。
（項目８）
前記特定インデックスは予め定義され、
前記Ｄ２Ｄ同期化信号は、
前記特定インデックスに対応する無線リソース内で、前記Ｄ２Ｄ同期化信号が送信される所定の周期を有するウィンドウの位置を指示することを特徴とする、項目１に記載のＤ２Ｄ同期化信号送信方法。
（項目９）
前記特定インデックスは、
前記Ｄ２Ｄ同期化信号のデコーディングのための参照信号のシーケンス生成のために使用されることを特徴とする、項目１に記載のＤ２Ｄ同期化信号送信方法。
（項目１０）
前記Ｄ２Ｄ同期化信号は、
前記Ｄ２Ｄ通信のためのリレー回数を指示する情報を含むことを特徴とする、項目１に記載のＤ２Ｄ同期化信号送信方法。
（項目１１）
前記リレー回数を指示する情報は、ホップカウントと定義され、
前記Ｄ２Ｄ同期化信号は、
ホップカウント及びシステムフレームナンバーを含むことを特徴とする、項目１０に記載のＤ２Ｄ同期化信号送信方法。
（項目１２）
前記Ｄ２Ｄ同期化信号は、
サイドリンク同期化信号である、項目１に記載のＤ２Ｄ同期化信号送信方法。
（項目１３）
無線通信システムでＤ２Ｄ同期化信号（Ｄｅｖｉｃｅ−ｔｏ−Ｄｅｖｉｃｅ  Ｓｙｎｃｈｒｏｎｉｚａｔｉｏｎ  Ｓｉｇｎａｌ）を送信する第１端末において、
無線周波数ユニット；及び
プロセッサ；を含み、
前記プロセッサは、Ｄ２Ｄ（Ｄｅｖｉｃｅ−ｔｏ−Ｄｅｖｉｃｅ）通信のための無線リソース設定を受信し、前記無線リソース設定に基づいた多数のＤ２Ｄ無線リソースのうち、第１無線リソースを除いた特定インデックスに対応する第２無線リソースを通じてＤ２Ｄ同期化信号を送信するように構成され、
前記第１無線リソースは、
ＷＡＮ（Ｗｉｄｅ  Ａｒｅａ  Ｎｅｔｗｏｒｋ）ベースの通信のために用いられるように定義される、第１端末。
【発明の効果】
【００２２】
本発明の実施例によると、無線通信システムでＤ２Ｄ通信のための信号送受信を効率的に行うことができる。
【００２３】
本発明で得られる効果は、以上で言及した効果に制限されなく、言及していない他の効果は、下記の記載から本発明の属する技術分野で通常の知識を有する者に明確に理解され得るだろう。
【図面の簡単な説明】
【００２４】
本発明に関する理解を促進するために詳細な説明の一部として含まれる添付の図面は、本発明に対する実施例を提供し、詳細な説明と共に本発明の技術的思想を説明する。
【００２５】
【図１】無線通信システムの一例としてＥ−ＵＭＴＳ網の構造を概略的に例示する図である。
【００２６】
【図２】３ＧＰＰ無線接続網規格をベースにした端末とＥ−ＵＴＲＡＮとの間の無線インターフェースプロトコルの制御平面（Ｃｏｎｔｒｏｌ  Ｐｌａｎｅ）及びユーザ平面（Ｕｓｅｒ  Ｐｌａｎｅ）構造を例示する図である。
【００２７】
【図３】３ＧＰＰシステムに用いられる各物理チャネル及びこれらを用いた一般的な信号送信方法を例示する図である。
【００２８】
【図４】ＬＴＥシステムで使用される無線フレームの構造を例示する図である。
【００２９】
【図５】ＬＴＥシステムのＰ−ＢＣＨ（Ｐｒｉｍａｒｙ  ｂｒｏａｄｃａｓｔ  ｃｈａｎｎｅｌ）及びＳＣＨ（Ｓｙｎｃｈｒｏｎｉｚａｔｉｏｎ  ｃｈａｎｎｅｌ）を示す図である。
【００３０】
【図６】同期信号（ｓｙｎｃｈｒｏｎｉｚａｔｉｏｎ  ｓｉｇｎａｌ、ＳＳ）の送信のための無線フレーム構造を示す図である。
【００３１】
【図７】２次同期信号（ｓｅｃｏｎｄａｒｙ  ｓｙｎｃｈｒｏｎｉｚａｔｉｏｎ  ｓｉｇｎａｌ、ＳＳＳ）の生成方式を説明するための参考図である。
【００３２】
【図８】下りリンクスロットに対するリソースグリッド（ｒｅｓｏｕｒｃｅ  ｇｒｉｄ）を例示する図である。
【００３３】
【図９】ＬＴＥシステムで使用される下りリンク無線フレームの構造を例示する図である。
【００３４】
【図１０】ＬＴＥシステムで使用される上りリンクサブフレームの構造を例示する図である。
【００３５】
【図１１】Ｄ２Ｄ（ＵＥ−ｔｏ−ＵＥ）通信を説明するための参考図である。
【００３６】
【図１２】Ｄ２Ｄ通信が行われる各シナリオを説明するための参考図である。
【００３７】
【図１３】本発明の一実施例に適用できる基地局及び端末を示す図である。
【発明を実施するための形態】
【００３８】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥの進化したバージョンである。
【００３９】
説明を明確にするために、３ＧＰＰ  ＬＴＥ／ＬＴＥ−Ａを中心に記述するが、本発明の技術的思想がこれに制限されるわけではない。また、以下の説明で使われる特定用語は、本発明の理解を助けるために提供されるものであり、このような特定用語の使用は、本発明の技術的思想から逸脱しない範囲で他の形態に変更することもできる。
【００４０】
図２は、３ＧＰＰ無線接続網規格に基づく端末とＥ−ＵＴＲＡＮとの間の無線インターフェースプロトコルの制御平面（Ｃｏｎｔｒｏｌ  Ｐｌａｎｅ）及びユーザ平面（Ｕｓｅｒ  Ｐｌａｎｅ）の構造を示す図である。制御平面は、端末（Ｕｓｅｒ  Ｅｑｕｉｐｍｅｎｔ；ＵＥ）とネットワークが呼を管理するために用いる制御メッセージが送信される通路を意味する。ユーザ平面は、アプリケーション層で生成されたデータ、例えば、音声データ又はインターネットパケットデータなどが送信される通路を意味する。
【００４１】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。この伝送チャネルを介して媒体接続制御層と物理層との間にデータが移動する。送信側の物理層と受信側の物理層との間には、物理チャネルを介してデータが移動する。この物理チャネルは、時間と周波数を無線リソースとして用いる。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００４２】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性あるデータ送信を支援する。ＲＬＣ層の機能は、ＭＡＣ内部の機能ブロックとして具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを効率的に送信するために不要の制御情報を減らすヘッダー圧縮（Ｈｅａｄｅｒ  Ｃｏｍｐｒｅｓｓｉｏｎ）機能を果たす。
【００４３】
第３層の最下部に位置している無線リソース制御（Ｒａｄｉｏ  Ｒｅｓｏｕｒｃｅ  Ｃｏｎｔｒｏｌ；ＲＲＣ）層は、制御平面でのみ定義される。ＲＲＣ層は、無線ベアラ（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワークとの間のデータ伝達のために第２層によって提供されるサービスを意味する。そのために、端末とネットワークのＲＲＣ層は互いにＲＲＣメッセージを交換する。端末とネットワークのＲＲＣ層間にＲＲＣ接続（ＲＲＣ  Ｃｏｎｎｅｃｔｅｄ）がある場合、端末はＲＲＣ接続状態（Ｃｏｎｎｅｃｔｅｄ  Ｍｏｄｅ）であり、そうでない場合、ＲＲＣ休止状態（Ｉｄｌｅ  Ｍｏｄｅ）である。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００４４】
基地局（ｅＮＢ）を構成する一つのセルは、１．４、３、５、１０、１５、２０ＭＨｚなどの帯域幅のいずれか一つに設定され、複数の端末に下り又は上り送信サービスを提供する。異なったセルは異なった帯域幅を提供するように設定することができる。
【００４５】
ネットワークから端末にデータを送信する下り伝送チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信されてもよく、又は別の下りＭＣＨ（Ｍｕｌｔｉｃａｓｔ  Ｃｈａｎｎｅｌ）を介して送信されてもよい。一方、端末からネットワークにデータを送信する上り伝送チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に位置しており、伝送チャネルにマップされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００４６】
図３は、３ＧＰＰ  ＬＴＥシステムに用いられる物理チャネル及びそれらを用いた一般的な信号送信方法を説明するための図である。
【００４７】
電源が消えた状態で電源がついたり、新しくセルに進入したりしたユーザ機器は、段階Ｓ３０１で、基地局と同期を取るなどの初期セル探索（Ｉｎｉｔｉａｌ  ｃｅｌｌ  ｓｅａｒｃｈ）作業を行う。そのために、ユーザ機器は基地局から１次同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及び２次同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤなどの情報を取得する。その後、ユーザ機器は、基地局から物理放送チャネル（Ｐｈｙｓｉｃａｌ  Ｂｒｏａｄｃａｓｔ  Ｃｈａｎｎｅｌ）を受信してセル内放送情報を取得することができる。一方、ユーザ機器は、初期セル探索段階で下りリンク参照信号（Ｄｏｗｎｌｉｎｋ  Ｒｅｆｅｒｅｎｃｅ  Ｓｉｇｎａｌ、ＤＬ  ＲＳ）を受信して下りリンクチャネル状態を確認することができる。
【００４８】
初期セル探索を終えたユーザ機器は、段階Ｓ３０２で、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、及び物理下りリンク制御チャネル情報に基づく物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信し、より具体的なシステム情報を取得することができる。
【００４９】
その後、ユーザ機器は、基地局への接続を完了するために、段階Ｓ３０３乃至段階Ｓ３０６のようなランダムアクセス手順（Ｒａｎｄｏｍ  Ａｃｃｅｓｓ  Ｐｒｏｃｅｄｕｒｅ）を行うことができる。そのために、ユーザ機器は、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を介してプリアンブル（ｐｒｅａｍｂｌｅ）を送信し（Ｓ３０３）、物理下りリンク制御チャネル及びこれに対応する物理下りリンク共有チャネルを介して、プリアンブルに対する応答メッセージを受信することができる（Ｓ３０４）。競合ベースランダムアクセスの場合、更なる物理ランダムアクセスチャネルの送信（Ｓ３０５）、及び物理下りリンク制御チャネル及びこれに対応する物理下りリンク共有チャネルの受信（Ｓ３０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００５０】
上述したような手順を行ったユーザ機器は、その後、一般的な上りリンク／下りリンク信号送信手順として、物理下りリンク制御チャネル／物理下りリンク共有チャネルの受信（Ｓ３０７）、及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）の送信（Ｓ３０８）を行うことができる。ユーザ機器が基地局に送信する制御情報を総称して上りリンク制御情報（Ｕｐｌｉｎｋ  Ｃｏｎｔｒｏｌ  Ｉｎｆｏｒｍａｔｉｏｎ、ＵＣＩ）という。ＵＣＩは、ＨＡＲＱ  ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。本明細書で、ＨＡＲＱ  ＡＣＫ／ＮＡＣＫは簡単に、ＨＡＲＱ−ＡＣＫ或いはＡＣＫ／ＮＡＣＫ（Ａ／Ｎ）と呼ぶ。ＨＡＲＱ−ＡＣＫは、ポジティブＡＣＫ（簡単に、ＡＣＫ）、ネガティブＡＣＫ（ＮＡＣＫ）、ＤＴＸ及びＮＡＣＫ／ＤＴＸのうち少なくとも一つを含む。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは、一般にはＰＵＣＣＨを介して送信されるが、制御情報とトラフィックデータとが同時に送信されるべき場合にはＰＵＳＣＨを介して送信されてもよい。また、ネットワークの要請／指示に応じて、ＰＵＳＣＨを介してＵＣＩを非周期的に送信することもできる。
【００５１】
図４は、ＬＴＥシステムで用いられる無線フレームの構造を例示する図である。
【００５２】
図４を参照すると、セルラーＯＦＤＭ無線パケット通信システムにおいて、上りリンク／下りリンクデータパケット送信はサブフレーム（ｓｕｂｆｒａｍｅ）単位になされ、１サブフレームは、複数のＯＦＤＭシンボルを含む一定時間区間と定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造、及びＴＤＤ（Ｔｉｍｅ  Ｄｉｖｉｓｉｏｎ  Ｄｕｐｌｅｘ）に適用可能なタイプ２の無線フレーム構造を支援する。
【００５３】
図４の（ａ）は、タイプ１無線フレームの構造を例示する。下りリンク無線フレーム（ｒａｄｉｏ  ｆｒａｍｅ）は、１０個のサブフレーム（ｓｕｂｆｒａｍｅ）で構成され、１サブフレームは、時間領域（ｔｉｍｅ  ｄｏｍａｉｎ）で２個のスロット（ｓｌｏｔ）で構成される。１サブフレームを送信するためにかかる時間をＴＴＩ（ｔｒａｎｓｍｉｓｓｉｏｎ  ｔｉｍｅ  ｉｎｔｅｒｖａｌ）という。例えば、１サブフレームの長さを１ｍｓ、１スロットの長さを０．５ｍｓとすることができる。１スロットは時間領域で複数のＯＦＤＭシンボルを含み、周波数領域で複数のリソースブロック（Ｒｅｓｏｕｒｃｅ  Ｂｌｏｃｋ；ＲＢ）を含む。３ＧＰＰ  ＬＴＥシステムでは下りリンクでＯＦＤＭＡが用いられるため、ＯＦＤＭシンボルが１シンボル区間を表す。ＯＦＤＭシンボルは、ＳＣ−ＦＤＭＡシンボル又はシンボル区間と呼ぶこともできる。リソース割り当て単位としてのリソースブロック（ＲＢ）は、１スロットで複数個の連続した副搬送波（ｓｕｂｃａｒｒｉｅｒ）を含むことができる。
【００５４】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって可変することができる。ＣＰには、拡張されたＣＰ（ｅｘｔｅｎｄｅｄ  ＣＰ）とノーマルＣＰ（ｎｏｒｍａｌ  ＣＰ）がある。例えば、ＯＦＤＭシンボルがノーマルＣＰによって構成された場合、１スロットに含まれるＯＦＤＭシンボルの数は７個であってよい。ＯＦＤＭシンボルが拡張されたＣＰによって構成された場合、１  ＯＦＤＭシンボルの長さが増加することから、１スロットに含まれるＯＦＤＭシンボルの数は、ノーマルＣＰの場合に比べて少ない。拡張されたＣＰの場合、例えば、１スロットに含まれるＯＦＤＭシンボルの数は６個であってもよい。ユーザ機器が速い速度で移動するなどしてチャネル状態が不安定な場合、シンボル間干渉をより減らすために、拡張されたＣＰを用いることができる。
【００５５】
ノーマルＣＰが用いられる場合、１スロットは７  ＯＦＤＭシンボルを含むため、１サブフレームは１４  ＯＦＤＭシンボルを含む。このとき、各サブフレームの先頭における最大３個のＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００５６】
図４の（ｂ）は、タイプ２無線フレームの構造を例示する。タイプ２無線フレームは、２個のハーフフレーム（ｈａｌｆ  ｆｒａｍｅ）で構成され、各ハーフフレームは、２個のスロットを含む４個の一般サブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  Ｔｉｍｅ  Ｓｌｏｔ）を含む特別サブフレーム（ｓｐｅｃｉａｌ  ｓｕｂｆｒａｍｅ）とで構成される。
【００５７】
前記特別サブフレームにおいて、ＤｗＰＴＳは、ユーザ機器における初期セル探索、同期化又はチャネル推定に用いられる。ＵｐＰＴＳは、基地局におけるチャネル推定とユーザ機器の上りリンク送信同期の取得に用いられる。すなわち、ＤｗＰＴＳは下りリンク送信に、ＵｐＰＴＳは上りリンク送信に用いられ、特に、ＵｐＰＴＳはＰＲＡＣＨプリアンブルやＳＲＳ送信のために用いられる。また、保護区間は、上りリンクと下りリンクとの間において下りリンク信号の多重経路遅延によって上りリンクで生じる干渉を除去するための区間である。
【００５８】
上記の特別サブフレームに関して、現在の３ＧＰＰ標準文書では下記の表１のように設定を定義している。表１において、
【化１】
0006391806.tif 000002
の場合に、ＤｗＰＴＳとＵｐＰＴＳを示しており、残りの領域が保護区間として設定される。
【００５９】
【表１】
0006391806.tif 000003
【００６０】
一方、タイプ２無線フレームの構造、すなわち、ＴＤＤシステムにおける上りリンク／下りリンクサブフレーム設定（ＵＬ／ＤＬ  ｃｏｎｆｉｇｕｒａｔｉｏｎ）は、下記の表２のとおりである。
【００６１】
【表２】
0006391806.tif 000004
【００６２】
上記の表２において、Ｄは下りリンクサブフレーム、Ｕは上りリンクサブフレームを表し、Ｓは特別サブフレームを意味する。また、上記の表２では、それぞれの上りリンク／下りリンクサブフレーム設定において下りリンク−上りリンクスイッチング周期も表している。
【００６３】
上述した無線フレームの構造は例示に過ぎず、無線フレームに含まれるサブフレームの数、サブフレームに含まれるスロットの数、又はスロットに含まれるシンボルの数は様々に変更されてもよい。
【００６４】
図５は、ＬＴＥシステムのＰ−ＢＣＨ（Ｐｒｉｍａｒｙ  ｂｒｏａｄｃａｓｔ  ｃｈａｎｎｅｌ）及びＳＣＨ（Ｓｙｎｃｈｒｏｎｉｚａｔｉｏｎ  ｃｈａｎｎｅｌ）を例示する。ＳＣＨは、Ｐ−ＳＣＨ及びＳ−ＳＣＨを含む。Ｐ−ＳＣＨ上にＰＳＳ（Ｐｒｉｍａｒｙ  Ｓｙｎｃｈｒｏｎｉｚａｔｉｏｎ  Ｓｉｇｎａｌ）が送信され、Ｓ−ＳＣＨ上にＳＳＳ（Ｓｅｃｏｎｄａｒｙ  Ｓｙｎｃｈｒｏｎｉｚａｔｉｏｎ  Ｓｉｇｎａｌ）が送信される。
【００６５】
図５を参照すると、フレーム構造タイプ−１（すなわち、ＦＤＤ）において、Ｐ−ＳＣＨは、毎無線フレームでスロット＃０（すなわち、サブフレーム＃０の１番目のスロット）及びスロット＃１０（すなわち、サブフレーム＃５の１番目のスロット）の最後のＯＦＤＭシンボルに位置する。Ｓ−ＳＣＨは、毎無線フレームでスロット＃０及びスロット＃１０の最後のＯＦＤＭシンボルの直前のＯＦＤＭシンボルに位置する。Ｓ−ＳＣＨ及びＰ−ＳＣＨは、隣接するＯＦＤＭシンボルに位置する。フレーム構造タイプ−２（すなわち、ＴＤＤ）において、Ｐ−ＳＣＨは、サブフレーム＃１／＃６の３番目のＯＦＤＭシンボルを通じて送信され、Ｓ−ＳＣＨは、スロット＃１（すなわち、サブフレーム＃０の２番目のスロット）及びスロット＃１１（すなわち、サブフレーム＃５の２番目のスロット）の最後のＯＦＤＭシンボルに位置する。Ｐ−ＢＣＨは、フレーム構造タイプとは関係なく、毎４個の無線フレームごとに送信され、サブフレーム＃０の２番目のスロットの１番目〜４番目のＯＦＤＭシンボルを用いて送信される。
【００６６】
Ｐ−ＳＣＨは、該当ＯＦＤＭシンボル内でＤＣ（ｄｉｒｅｃｔ  ｃｕｒｒｅｎｔ）副搬送波を中心に７２個の副搬送波（１０個の副搬送波は予備、６２個の副搬送波にＰＳＳ送信）を使用して送信される。Ｓ−ＳＣＨは、該当ＯＦＤＭシンボル内でＤＣ（ｄｉｒｅｃｔ  ｃｕｒｒｅｎｔ）副搬送波を中心に７２個の副搬送波（１０個の副搬送波は予備、６２個の副搬送波にＳＳＳ送信）を使用して送信される。Ｐ−ＢＣＨは、１サブフレーム内で４個のＯＦＤＭシンボル及びＤＣ（ｄｉｒｅｃｔ  ｃｕｒｒｅｎｔ）副搬送波を中心に７２個の副搬送波にマップされる。
【００６７】
図６は、同期信号（ｓｙｎｃｈｒｏｎｉｚａｔｉｏｎ  ｓｉｇｎａｌ、ＳＳ）の送信のための無線フレーム構造を例示した図である。特に、図６は、周波数分割デュプレックス（ｆｒｅｑｕｅｎｃｙ  ｄｉｖｉｓｉｏｎ  ｄｕｐｌｅｘ、ＦＤＤ）における同期信号及びＰＢＣＨの送信のための無線フレーム構造を例示した図であって、図６（ａ）は、ノーマルＣＰ（ｎｏｒｍａｌ  ｃｙｃｌｉｃ  ｐｒｅｆｉｘ）で構成された無線フレームにおけるＳＳ及びＰＢＣＨの送信位置を示した図で、図６（ｂ）は、拡張ＣＰ（ｅｘｔｅｎｄｅｄ  ＣＰ）で構成された無線フレームにおけるＳＳ及びＰＢＣＨの送信位置を示した図である。
【００６８】
ＵＥは、電源がついたり新たにセルに進入した場合、前記セルとの時間及び周波数同期を取得し、前記セルの物理セル識別子（ｐｈｙｓｉｃａｌ  ｃｅｌｌ  ｉｄｅｎｔｉｔｙ）を検出するなどのセル探索（ｉｎｉｔｉａｌ  ｃｅｌｌ  ｓｅａｒｃｈ）過程を行う。このために、ＵＥは、ｅＮＢから同期信号、例えば、１次同期信号（Ｐｒｉｍａｒｙ  Ｓｙｎｃｈｒｏｎｉｚａｔｉｏｎ  Ｓｉｇｎａｌ、ＰＳＳ）及び２次同期信号（Ｓｅｃｏｎｄａｒｙ  Ｓｙｎｃｈｒｏｎｉｚａｔｉｏｎ  Ｓｉｇｎａｌ、ＳＳＳ）を受信することによってｅＮＢと同期を取り、セル識別子（ｉｄｅｎｔｉｔｙ、ＩＤ）などの情報を取得することができる。
【００６９】
図６を参照してＳＳをより具体的に説明すると、次の通りである。ＳＳは、ＰＳＳとＳＳＳに区分される。ＰＳＳは、ＯＦＤＭシンボル同期、スロット同期などの時間領域同期及び／又は周波数領域同期を得るために使用され、ＳＳＳは、フレーム同期、セルグループＩＤ及び／又はセルのＣＰ構成（すなわち、ノーマルＣＰ又は拡張ＣＰの使用情報）を得るために使用される。図６を参照すると、ＰＳＳ及びＳＳＳは、毎無線フレームの２個のＯＦＤＭシンボルでそれぞれ送信される。具体的に、ＳＳは、インター−ＲＡＴ（ｉｎｔｅｒ  ｒａｄｉｏ  ａｃｃｅｓｓ  ｔｅｃｈｎｏｌｏｇｙ）測定を容易にするために、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）フレーム長である４．６ｍｓを考慮してサブフレーム０の１番目のスロット及びサブフレーム５の１番目のスロットでそれぞれ送信される。特に、ＰＳＳは、サブフレーム０の１番目のスロットの最後のＯＦＤＭシンボル及びサブフレーム５の１番目のスロットの最後のＯＦＤＭシンボルでそれぞれ送信され、ＳＳＳは、サブフレーム０の１番目のスロットの最後から２番目のＯＦＤＭシンボル及びサブフレーム５の１番目のスロットの最後から２番目のＯＦＤＭシンボルでそれぞれ送信される。該当無線フレームの境界はＳＳＳを通じて検出することができる。ＰＳＳは、該当スロットの一番最後のＯＦＤＭシンボルで送信され、ＳＳＳは、ＰＳＳの直前のＯＦＤＭシンボルで送信される。ＳＳの送信ダイバーシティ方式は、単一アンテナポートのみを使用し、標準では別途に定義していない。すなわち、単一アンテナポート送信或いはＵＥに透明な（ｔｒａｎｓｐａｒｅｎｔ）送信方式（例、ＰＶＳ（Ｐｒｅｃｏｄｉｎｇ  Ｖｅｃｔｏｒ  Ｓｗｉｔｃｈｉｎｇ）、ＴＳＴＤ（Ｔｉｍｅ  Ｓｗｉｔｃｈｅｄ  Ｄｉｖｅｒｓｉｔｙ）、ＣＤＤ（ｃｙｃｌｉｃ  ｄｅｌａｙ  ｄｉｖｅｒｓｉｔｙ））をＳＳの送信ダイバーシティのために使用することができる。
【００７０】
ＳＳは、３個のＰＳＳと１６８個のＳＳの組合せを通じて合計５０４個の固有の物理層セル識別子（ｐｈｙｓｉｃａｌ  ｌａｙｅｒ  ｃｅｌｌ  ＩＤ）を示すことができる。言い換えると、前記各物理層セルＩＤは、各物理層セルＩＤが一つの物理層セル識別子グループの部分になるように各グループが３個の固有の識別子を含む１６８個の物理層セル識別子グループにグループ化される。よって、物理層セル識別子ＮｃｅｌｌＩＤ＝３Ｎ（１）ＩＤ＋Ｎ（２）ＩＤは、物理層セル識別子グループを示す０から１６７までの範囲内の番号Ｎ（１）ＩＤ及び前記物理層セル識別子グループ内の前記物理層識別子を示す０から２までの番号Ｎ（２）ＩＤによって固有に定義される。ＵＥは、ＰＳＳを検出することによって３個の固有の物理層識別子のうちの一つを知ることができ、ＳＳＳを検出することによって前記物理層識別子と関連した１６８個の物理層セルＩＤのうちの一つを識別することができる。長さ６３のＺＣ（Ｚａｄｏｆｆ−Ｃｈｕ）シーケンスは、周波数領域で定義されてＰＳＳとして使用される。例えば、ＺＣシーケンスは、次の式によって定義することができる。
【００７１】
【数１】
0006391806.tif 000005
【００７２】
ここで、ＮＺＣ＝６３であり、ＤＣ副搬送波に該当するシーケンス要素（ｓｅｑｕｅｎｃｅ  ｅｌｅｍｅｎｔ）であるｎ＝３１は穿孔（ｐｕｎｃｔｕｒｉｎｇ）される。
【００７３】
ＰＳＳは、中心周波数に近い６個のＲＢ（＝７２個の副搬送波）にマップされる。前記７２個の副搬送波のうちの９個の残った副搬送波は常に０の値を搬送し、これは、同期遂行のためのフィルター設計が容易になる要素として作用する。合計３個のＰＳＳが定義されるために、式１ではｕ＝２４、２９及び３４が使用される。ｕ＝２４及びｕ＝３４は、共役対称（ｃｏｎｊｕｇａｔｅ  ｓｙｍｍｅｔｒｙ）関係を有しているので、２個の相関を同時に行うことができる。ここで、共役対称とは、次の式の関係を意味する。
【００７４】
【数２】
0006391806.tif 000006
【００７５】
共役対称の特性を用いると、ｕ＝２９及びｕ＝３４に対するワンショット相関器（ｏｎｅ−ｓｈｏｔ  ｃｏｒｒｅｌａｔｏｒ）を具現することができ、共役対称がない場合に比べて、全体的な演算量が約３３．３％減少し得る。
【００７６】
より具体的には、ＰＳＳのために使用されるシーケンスｄ（ｎ）は、周波数領域ＺＣシーケンスから次の式によって生成される。
【００７７】
【数３】
0006391806.tif 000007
【００７８】
ここで、ＺＣルートシーケンスインデックスｕは、次の表によって与えられる。
【００７９】
【表３】
0006391806.tif 000008
【００８０】
図６を参照すると、ＰＳＳは５ｍｓごとに送信されるので、ＵＥは、ＰＳＳを検出することによって該当サブフレームがサブフレーム０及びサブフレーム５のうちの一つであることを知ることができるが、該当サブフレームがサブフレーム０及びサブフレーム５のうち具体的に何かは知ることができない。よって、ＵＥは、ＰＳＳのみでは無線フレームの境界を認知することができない。すなわち、ＰＳＳのみではフレーム同期を取得できない。ＵＥは、１無線フレーム内で２回送信され、別個のシーケンスとして送信されるＳＳＳを検出し、無線フレームの境界を検出する。
【００８１】
図７は、２次同期信号（ｓｅｃｏｎｄａｒｙ  ｓｙｎｃｈｒｏｎｉｚａｔｉｏｎ  ｓｉｇｎａｌ、ＳＳＳ）の生成方式を説明するために示した図である。具体的に、図７は、論理領域（ｌｏｇｉｃａｌ  ｄｏｍａｉｎ）における２個のシーケンスが物理領域にマップされる関係を示した図である。
【００８２】
ＳＳＳのために使用されるシーケンスは、２個の長さ３１のｍ−シーケンスのインタリーブされた連結（ｉｎｔｅｒｌｅａｖｅｄ  ｃｏｎｃａｔｅｎａｔｉｏｎ）であって、前記接合されたシーケンスは、ＰＳＳによって与えられるスクランブリングシーケンスによってスクランブルされる。ここで、ｍ−シーケンスは、ＰＮ（Ｐｓｅｕｄｏ  Ｎｏｉｓｅ）シーケンスの一種である。
【００８３】
図７を参照すると、ＳＳＳ符号生成のために使用される２個のｍ−シーケンスをそれぞれＳ１及びＳ２とすると、ＰＳＳベースの互いに異なる２個のシーケンスがＳＳＳにスクランブルされる。このとき、Ｓ１及びＳ２は、別個のシーケンスによってスクランブルされる。ＰＳＳベースのスクランブリング符号は、ｘ５＋ｘ３＋１の多項式から生成されたｍ−シーケンスを循環遷移して得られるが、ＰＳＳインデックスにしたがって、６個のシーケンスが前記ｍ−シーケンスの循環遷移によって生成される。その後、Ｓ２は、Ｓ１ベースのスクランブリング符号によってスクランブルされる。Ｓ１ベースのスクランブリング符号は、ｘ５＋ｘ４＋ｘ２＋ｘ１＋１の多項式から生成されたｍ−シーケンスを循環遷移して得られるが、Ｓ１のインデックスにしたがって、８個のシーケンスが前記ｍ−シーケンスの循環遷移によって生成される。ＳＳＳの符号は、５ｍｓごとに交換（ｓｗａｐ）されるが、ＰＳＳベースのスクランブリング符号は交換されない。例えば、サブフレーム０のＳＳＳが（Ｓ１，Ｓ２）の組合せでセルグループ識別子を搬送すると仮定すると、サブフレーム５のＳＳＳは（Ｓ２，Ｓ１）に交換されたシーケンスを搬送する。これを通じて、１０ｍｓの無線フレーム境界を区分することができる。このときに使用されるＳＳＳ符号は、ｘ５＋ｘ２＋１の多項式から生成され、長さ３１のｍ−シーケンスの互いに異なる循環遷移（ｃｉｒｃｕｌａｒ  ｓｈｉｆｔ）を通じて合計３１個の符号が生成され得る。
【００８４】
ＳＳＳを定義する２個の長さ３１のｍ−シーケンスの組合せはサブフレーム０及びサブフレーム５で異なり、２個の長さ３１のｍ−シーケンスの組合せによって合計１６８個のセルグループ識別子（ｃｅｌｌ  ｇｒｏｕｐ  ＩＤ）が表現される。ＳＳＳのシーケンスとして使用されるｍ−シーケンスは、周波数選択的環境でロバストな特性を有する。また、高速アダマール変換（ｆａｓｔ  Ｈａｄａｒｍａｒｄ  ｔｒａｎｓｆｏｒｍ）を用いた高速ｍ−シーケンス変換によって変換できるので、ｍ−シーケンスがＳＳＳとして活用されると、ＵＥがＳＳＳを解釈するのに必要な演算量を減少させることができる。また、２個の短い符号（ｓｈｏｒｔ  ｃｏｄｅ）でＳＳＳが構成されることによって、ＵＥの演算量が減少し得る。
【００８５】
より具体的に、ＳＳＳの生成に関して説明すると、ＳＳＳのために使用されるシーケンスｄ（０）、…、ｄ（６１）は、２個の長さ−３１の二進（ｂｉｎａｒｙ）シーケンスのインタリーブされた連結である。前記連結されたシーケンスは、ＰＳＳによって与えられるスクランブリングシーケンスでスクランブルされる。
【００８６】
ＰＳＳを定義する２個の長さ−３１の各シーケンスの組合せは、サブフレーム０及びサブフレーム５で次のように異なる。
【００８７】
【数４】
0006391806.tif 000009
【００８８】
ここで、０≦ｎ≦３０である。インデックスｍ０及びｍ１は、物理層セル識別子グループＮ（１）ＩＤから次の式によって誘導される。
【００８９】
【数５】
0006391806.tif 000010
【００９０】
式５の出力は、式１１の次の表４にリストされる。
【００９１】
２個のシーケンスＳ（ｍ０）０（ｎ）及びＳ（ｍ１）１（ｎ）は、次の式によってｍ−シーケンスs（ｎ）の２個の異なる循環遷移として定義される。
【００９２】
【数６】
0006391806.tif 000011
【００９３】
ここで、ｓ（ｉ）＝１−２ｘ（ｉ）（０≦ｉ≦３０）は、初期条件ｘ（０）＝０、ｘ（１）＝０、ｘ（２）、ｘ（３）＝０、ｘ（４）＝１で次の式によって定義される。
【００９４】
【数７】
0006391806.tif 000012
【００９５】
２個のスクランブリングシーケンスｃ０（ｎ）及びｃ１（ｎ）はＰＳＳに依存し、ｍ−シーケンスｃ（ｎ）の２個の異なる循環遷移により、次の式によって定義される。
【００９６】
【数８】
0006391806.tif 000013
【００９７】
ここで、Ｎ（２）ＩＤ∈｛０，１，２｝は、物理層セル識別子グループＮ（１）ＩＤ内の物理層識別子であって、ｃ（ｉ）＝１−２ｘ（ｉ）（０≦ｉ≦３０）は、初期条件ｘ（０）＝０、ｘ（１）＝０、ｘ（２）、ｘ（３）＝０、ｘ（４）＝１で次の式によって定義される。
【００９８】
【数９】
0006391806.tif 000014
【００９９】
スクランブリングシーケンスＺ（ｍ０）１（ｎ）及びＺ（ｍ１）１（ｎ）は、次の式により、ｍ−シーケンスｚ（ｎ）の循環遷移によって定義される。
【０１００】
【数１０】
0006391806.tif 000015
【０１０１】
ここで、ｍ０及びｍ１は、式１１の次に記載した表４から得られ、ｚ（ｉ）＝１−２ｘ（ｉ）（０≦ｉ≦３０）は、初期条件ｘ（０）＝０、ｘ（１）＝０、ｘ（２）、ｘ（３）＝０、ｘ（４）＝１で次の式によって定義される。
【０１０２】
【数１１】
0006391806.tif 000016
【０１０３】
【表４】
0006391806.tif 000017
【０１０４】
ＳＳＳを用いたセル探索過程を行い、ＤＬ信号の復調及びＵＬ信号の送信を正確な時点に行うのに必要な時間及び周波数パラメータを決定したＵＥは、前記ｅＮＢから前記ＵＥのシステム構成に必要なシステム情報を取得したときに前記ｅＮＢと通信することができる。
【０１０５】
システム情報は、マスター情報ブロック（Ｍａｓｔｅｒ  Ｉｎｆｏｒｍａｔｉｏｎ  Ｂｌｏｃｋ、ＭＩＢ）及びシステム情報ブロック（Ｓｙｓｔｅｍ  Ｉｎｆｏｒｍａｔｉｏｎ  Ｂｌｏｃｋｓ、ＳＩＢｓ）によって構成される。各システム情報ブロックは、機能的に関連したパラメータの集合を含み、含むパラメータによってマスター情報ブロック（Ｍａｓｔｅｒ  Ｉｎｆｏｒｍａｔｉｏｎ  Ｂｌｏｃｋ、ＭＩＢ）及びシステム情報ブロックタイプ１（Ｓｙｓｔｅｍ  Ｉｎｆｏｒｍａｔｉｏｎ  Ｂｌｏｃｋ  Ｔｙｐｅ  １、ＳＩＢ１）、システム情報ブロックタイプ２（Ｓｙｓｔｅｍ  Ｉｎｆｏｒｍａｔｉｏｎ  Ｂｌｏｃｋ  Ｔｙｐｅ  ２、ＳＩＢ２）、ＳＩＢ３〜ＳＩＢ８に区分される。ＭＩＢは、ＵＥがｅＮＢのネットワークに初期アクセスするのに必須的な、最も頻繁に送信される各パラメータを含む。ＳＩＢ１は、他のＳＩＢの時間領域スケジューリングに対する情報のみならず、特定セルがセル選択に適したセルであるか否かを判断するのに必要な各パラメータを含む。
【０１０６】
ＵＥは、ＭＩＢをブロードキャストチャネル（例、ＰＢＣＨ）を介して受信することができる。ＭＩＢには、下りリンクシステム帯域幅（ｄｌ−Ｂａｎｄｗｉｄｔｈ、ＤＬ  ＢＷ）、ＰＨＩＣＨ構成、システムフレームナンバー（ＳＦＮ）が含まれる。よって、ＵＥは、ＰＢＣＨを受信することによって明示的にＤＬ  ＢＷ、ＳＦＮ、ＰＨＩＣＨ構成に対する情報を知ることができる。一方、ＰＢＣＨ受信を通じてＵＥが暗黙的に知ることができる情報としては、ｅＮＢの送信アンテナポートの個数がある。ｅＮＢの送信アンテナの個数に対する情報は、ＰＢＣＨの誤り検出に使用される１６−ビットＣＲＣ（Ｃｙｃｌｉｃ  Ｒｅｄｕｎｄａｎｃｙ  Ｃｈｅｃｋ）を送信アンテナの個数に対応するシーケンスでマスク（例、ＸＯＲ演算）することによって暗黙的にシグナルされる。
【０１０７】
ＰＢＣＨは、４０ｍｓの間に４個のサブフレームにマップされる。４０ｍｓの時間はブラインド検出されるものであって、４０ｍｓの時間に対する明示的なシグナリングは別途に存在しない。時間領域において、ＰＢＣＨは、無線フレーム内のサブフレーム０内のスロット１（サブフレーム０の２番目のスロット）のＯＦＤＭシンボル０〜３で送信される。
【０１０８】
周波数領域において、ＰＳＳ／ＳＳＳ及びＰＢＣＨは、実際のシステム帯域幅とは関係なく、該当ＯＦＤＭシンボル内でＤＣ副搬送波を中心に左右３個ずつ合計６個のＲＢ、すなわち、合計７２個の副搬送波内でのみ送信される。よって、ＵＥは、前記ＵＥのために構成された下りリンク送信帯域幅とは関係なく、ＳＳ及びＰＢＣＨを検出或いは復号化できるように構成される。
【０１０９】
初期セル探索を終了し、ｅＮＢのネットワークに接続したＵＥは、ＰＤＣＣＨ及び前記ＰＤＣＣＨに載せられた情報によってＰＤＳＣＨを受信することによって、より具体的なシステム情報を取得することができる。上述した手続を行ったＵＥは、以後、一般的な上りリンク／下りリンク信号送信手続として、ＰＤＣＣＨ／ＰＤＳＣＨ受信及びＰＵＳＣＨ／ＰＵＣＣＨ送信を行うことができる。
【０１１０】
図８は、下りリンクスロットに対するリソースグリッド（ｒｅｓｏｕｒｃｅ  ｇｒｉｄ）を例示する。
【０１１１】
図８を参照すると、下りリンクスロットは、時間領域で
【化２】
0006391806.tif 000018
ＯＦＤＭシンボルを含み、周波数領域で
【化３】
0006391806.tif 000019
リソースブロックを含む。それぞれのリソースブロックが
【化４】
0006391806.tif 000020
副搬送波を含むので、下りリンクスロットは、周波数領域で
【化５】
0006391806.tif 000021
副搬送波を含む。図８は、下りリンクスロットが７ＯＦＤＭシンボルを含み、リソースブロックが１２副搬送波を含むことを例示しているが、必ずしもこれに制限されることはない。例えば、下りリンクスロットに含まれるＯＦＤＭシンボルの個数は、循環前置（Ｃｙｃｌｉｃ  Ｐｒｅｆｉｘ；ＣＰ）の長さによって変形可能である。
【０１１２】
リソースグリッド上の各要素をリソース要素（Ｒｅｓｏｕｒｃｅ  Ｅｌｅｍｅｎｔ；ＲＥ）と称し、一つのリソース要素は、一つのＯＦＤＭシンボルインデックス及び一つの副搬送波インデックスで指示される。一つのＲＢは、
【化６】
0006391806.tif 000022
リソース要素で構成されている。下りリンクスロットに含まれるリソースブロックの数
【化７】
0006391806.tif 000023
は、セルで設定される下りリンク送信帯域幅に従属する。
【０１１３】
図９は、下りリンクサブフレームの構造を例示する。
【０１１４】
図９を参照すると、サブフレームの１番目のスロットで前部分に位置した最大３（４）個のＯＦＤＭシンボルは、制御チャネルが割り当てられる制御領域に対応する。残ったＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域に該当する。ＬＴＥで使用される下りリンク制御チャネルの例は、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨは、サブフレームの１番目のＯＦＤＭシンボルで送信され、サブフレーム内で制御チャネルの送信に使用されるＯＦＤＭシンボルの個数に関する情報を搬送する。ＰＨＩＣＨは、上りリンク送信に対する応答として、ＨＡＲＱ  ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を搬送する。
【０１１５】
ＰＤＣＣＨを介して送信される制御情報をＤＣＩ（Ｄｏｗｎｌｉｎｋ  Ｃｏｎｔｒｏｌ  Ｉｎｆｏｒｍａｔｉｏｎ）と称する。ＤＣＩは、ユーザ機器又はユーザ機器グループのためのリソース割り当て情報及び他の制御情報を含む。例えば、ＤＣＩは、上りリンク／下りリンクスケジューリング情報、上りリンク送信（Ｔｘ）電力制御命令などを含む。
【０１１６】
ＰＤＣＣＨは、下りリンク共有チャネル（ｄｏｗｎｌｉｎｋ  ｓｈａｒｅｄ  ｃｈａｎｎｅｌ、ＤＬ−ＳＣＨ）の送信フォーマット及びリソース割り当て情報、上りリンク共有チャネル（ｕｐｌｉｎｋ  ｓｈａｒｅｄ  ｃｈａｎｎｅｌ、ＵＬ−ＳＣＨ）の送信フォーマット及びリソース割り当て情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で送信されるランダムアクセス応答などの上位層制御メッセージのリソース割り当て情報、ユーザ機器グループ内の個別ユーザ機器に対するＴｘ電力制御命令セット、Ｔｘ電力制御命令、ＶｏＩＰ（Ｖｏｉｃｅ  ｏｖｅｒ  ＩＰ）の活性化指示情報などを搬送する。複数のＰＤＣＣＨを制御領域内で送信することができる。ユーザ機器は、複数のＰＤＣＣＨをモニタすることができる。ＰＤＣＣＨは、一つ又は複数の連続した制御チャネル要素（ｃｏｎｔｒｏｌ  ｃｈａｎｎｅｌ  ｅｌｅｍｅｎｔ、ＣＣＥ）の集合（ａｇｇｒｅｇａｔｉｏｎ）上で送信される。ＣＣＥは、ＰＤＣＣＨに無線チャネル状態に基づいたコーディングレートを提供するのに使用される論理的割り当てユニットである。ＣＣＥは、複数のリソース要素グループ（ｒｅｓｏｕｒｃｅ  ｅｌｅｍｅｎｔ  ｇｒｏｕｐ、ＲＥＧ）に対応する。ＰＤＣＣＨのフォーマット及びＰＤＣＣＨビットの個数はＣＣＥの個数によって決定される。基地局は、ユーザ機器に送信されるＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付加する。ＣＲＣは、ＰＤＣＣＨの所有者又は使用目的によって識別子（例、ＲＮＴＩ（ｒａｄｉｏ  ｎｅｔｗｏｒｋ  ｔｅｍｐｏｒａｒｙ  ｉｄｅｎｔｉｆｉｅｒ））でマスクされる。例えば、ＰＤＣＣＨが特定ユーザ機器のためのものである場合、該当ユーザ機器の識別子（例、ｃｅｌｌ−ＲＮＴＩ（Ｃ−ＲＮＴＩ））でＣＲＣがマスクされ得る。ＰＤＣＣＨがページングメッセージのためのものである場合、ページング識別子（例、ｐａｇｉｎｇ−ＲＮＴＩ（Ｐ−ＲＮＴＩ））でＣＲＣがマスクされ得る。ＰＤＣＣＨがシステム情報（より具体的に、システム情報ブロック（ｓｙｓｔｅｍ  Ｉｎｆｏｒｍａｔｉｏｎ  ｂｌｏｃｋ、ＳＩＣ））のためのものである場合、ＳＩ−ＲＮＴＩ（ｓｙｓｔｅｍ  Ｉｎｆｏｒｍａｔｉｏｎ  ＲＮＴＩ）でＣＲＣがマスクされ得る。ＰＤＣＣＨがランダムアクセス応答のためのものである場合、ＲＡ−ＲＮＴＩ（ｒａｎｄｏｍ  ａｃｃｅｓｓ−ＲＮＴＩ）でＣＲＣがマスクされ得る。
【０１１７】
図１０は、ＬＴＥで使用される上りリンクサブフレームの構造を例示する。
【０１１８】
図１０を参照すると、上りリンクサブフレームは複数（例、２個）のスロットを含む。スロットは、ＣＰ長さによって互いに異なる数のＳＣ−ＦＤＭＡシンボルを含むことができる。上りリンクサブフレームは、周波数領域でデータ領域と制御領域に区分される。データ領域は、ＰＵＳＣＨを含み、音声などのデータ信号を送信するのに使用される。制御領域は、ＰＵＣＣＨを含み、上りリンク制御情報（Ｕｐｌｉｎｋ  Ｃｏｎｔｒｏｌ  Ｉｎｆｏｒｍａｔｉｏｎ、ＵＣＩ）を送信するのに使用される。ＰＵＣＣＨは、周波数軸でデータ領域の両端部分に位置したＲＢペア（ＲＢ  ｐａｉｒ）を含み、スロットを境界にしてホップする。
【０１１９】
ＰＵＣＣＨは、次の制御情報を送信するのに使用することができる。
【０１２０】
−  ＳＲ（Ｓｃｈｅｄｕｌｉｎｇ  Ｒｅｑｕｅｓｔ）：上りリンクＵＬ−ＳＣＨリソースを要請するのに使用される情報である。ＯＯＫ（Ｏｎ−Ｏｆｆ  Ｋｅｙｉｎｇ）方式を用いて送信される。
【０１２１】
−  ＨＡＲＱ  ＡＣＫ／ＮＡＣＫ：ＰＤＳＣＨ上の下りリンクデータパケットに対する応答信号である。下りリンクデータパケットが成功的に受信されたか否かを示す。単一下りリンクコードワードに対する応答としてＡＣＫ／ＮＡＣＫ  １ビットが送信され、二つの下りリンクコードワードに対する応答としてＡＣＫ／ＮＡＣＫ  ２ビットが送信される。
【０１２２】
−  ＣＳＩ（Ｃｈａｎｎｅｌ  Ｓｔａｔｅ  Ｉｎｆｏｒｍａｔｉｏｎ）：下りリンクチャネルに対するフィードバック情報である。ＣＳＩは、ＣＱＩ（Ｃｈａｎｎｅｌ  Ｑｕａｌｉｔｙ  Ｉｎｄｉｃａｔｏｒ）を含み、ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報は、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）などを含む。サブフレーム当たりに２０ビットが使用される。
【０１２３】
ユーザ機器がサブフレームで送信できる制御情報（ＵＣＩ）の量は、制御情報送信に利用可能なＳＣ−ＦＤＭＡの個数に依存する。制御情報送信に利用可能なＳＣ−ＦＤＭＡは、サブフレームで参照信号送信のためのＳＣ−ＦＤＭＡシンボルを除いて残ったＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームの場合、サブフレームの最後のＳＣ−ＦＤＭＡシンボルも除かれる。参照信号はＰＵＣＣＨのコヒーレント検出に使用される。
【０１２４】
以下では、Ｄ２Ｄ（ＵＥ−ｔｏ−ＵＥ）通信に対して説明する。
【０１２５】
Ｄ２Ｄ通信方式は、ネットワーク／コーディネーションステーション（例えば、基地局）の助けを受ける方式と、そうでない場合とに大きく分けることができる。
【０１２６】
図１１を参照すると、図１１（ａ）は、制御信号（例えば、グラントメッセージ（ｇｒａｎｔ  ｍｅｓｓａｇｅ））、ＨＡＲＱ、チャネル状態情報（Ｃｈａｎｎｅｌ  Ｓｔａｔｅ  Ｉｎｆｏｒｍａｔｉｏｎ）などの送受信にはネットワーク／コーディネーションステーションの介入が行われ、Ｄ２Ｄ通信を行う端末間にはデータ送受信のみが行われる方式を示している。また、図１１（ｂ）は、ネットワークは最小限の情報（例えば、該当セルで使用可能なＤ２Ｄ連結情報など）のみを提供し、Ｄ２Ｄ通信を行う各端末がリンクを形成してデータ送受信を行う方式を示している。
【０１２７】
上述した内容に基づいて、本発明では、図１２に示すように、ＵＥが他のＵＥと無線チャネルを用いて直接通信（すなわち、Ｄｅｖｉｃｅ−ｔｏ−Ｄｅｖｉｃｅ（Ｄ２Ｄ）通信）を行うとき、該当Ｄ２Ｄ通信関連ＵＥが同期信号（すなわち、Ｄ２Ｄ  Ｓｙｎｃｈｒｏｎｉｚａｔｉｏｎ  Ｓｉｇｎａｌ（Ｄ２ＤＳＳ））及び／又は物理同期チャネル（Ｐｈｙｓｉｃａｌ  Ｄ２Ｄ  Ｓｙｎｃｈｒｏｎｉｚａｔｉｏｎ  Ｃｈａｎｎｅｌ（ＰＤ２ＤＳＣＨ））を送信するタイミング／時点を効率的に定義する方法を提案する。ここで、ＵＥはユーザの端末を意味するが、ｅＮＢなどのネットワーク装備がＵＥ間の通信方式に従って信号を送／受信する場合は、該当ネットワーク装備も一種のＵＥと見なすことができる。
【０１２８】
以下では、説明の便宜上、３ＧＰＰ  ＬＴＥシステムをベースにして本発明を説明する。しかし、本発明が適用されるシステムの範囲は、３ＧＰＰ  ＬＴＥシステム以外の他のシステムにも拡張可能である。本発明の提案方式は、ｉ）Ｄ２Ｄ通信に参加する一部のＤ２Ｄ  ＵＥはネットワークのカバレッジ内にあり、残りのＤ２Ｄ  ＵＥはネットワークのカバレッジ外にある場合（Ｄ２Ｄ  Ｄｉｓｃｏｖｅｒｙ／Ｃｏｍｍｕｎｉｃａｔｉｏｎ  ｏｆ  Ｐａｒｔｉａｌ  Ｎｅｔｗｏｒｋ  Ｃｏｖｅｒａｇｅ）、ｉｉ）Ｄ２Ｄ通信に参加する各Ｄ２Ｄ  ＵＥが全てネットワークのカバレッジ内にある場合（Ｄ２Ｄ  Ｄｉｓｃｏｖｅｒｙ／Ｃｏｍｍｕｎｉｃａｔｉｏｎ  Ｗｉｔｈｉｎ  Ｎｅｔｗｏｒｋ  Ｃｏｖｅｒａｇｅ）、或いはｉｉｉ）Ｄ２Ｄ通信に参加する各Ｄ２Ｄ  ＵＥが全てネットワークのカバレッジ外にある場合（Ｄ２Ｄ  Ｄｉｓｃｏｖｅｒｙ／Ｃｏｍｍｕｎｉｃａｔｉｏｎ  Ｏｕｔｓｉｄｅ  Ｎｅｔｗｏｒｋ  Ｃｏｖｅｒａｇｅ（ｆｏｒ  Ｐｕｂｌｉｃ  Ｓａｆｅｔｙ  Ｏｎｌｙ））にのみ限定的に適用されるように設定することができる。
【０１２９】
本発明に対する実施例において、Ｄ２ＤＳＳ（或いはＰＤ２ＤＳＣＨ、或いはＳＩＤＥＬＩＮＫ  ＳＹＮＣＨＲＯＮＩＺＡＴＩＯＮ  ＳＩＧＮＡＬ）は、予め定義されたサブフレームインデックス及び／又は無線フレームインデックス上でのみ送信されるように設定することができる。ここで、Ｄ２ＤＳＳ（或いはＰＤ２ＤＳＣＨ、或いはＳＩＤＥＬＩＮＫ  ＳＹＮＣＨＲＯＮＩＺＡＴＩＯＮ  ＳＩＧＮＡＬ）が送信されるサブフレームインデックス及び／又は無線フレームインデックス関連情報は、基地局がＤ２Ｄ  ＵＥに予め定義されたシグナル（例、物理層シグナル或いは上位層シグナル）を介して知らせるように設定したり、或いは予め固定された値と定義することができる。
【０１３０】
さらに、本発明の実施例では、ＵＥのために設定された無線リソース上でＤ２Ｄ通信のために使用できる特定無線リソース（例、上りリンクリソース）に対するインデックス／位置などを別途のシグナリング（例、ＲＲＣ）を介して知らせることができ、ＵＥは、Ｄ２Ｄ通信のために使用できる無線リソースを用いて他のＵＥとＤ２Ｄ通信を行うことができる。ここで、Ｄ２Ｄのための無線リソースのみに対して再インデクシングを行うこともできる。
【０１３１】
また、本発明の実施例上で、Ｄ２ＤＳＳ（或いはＰＤ２ＤＳＣＨ、或いはＳＩＤＥＬＩＮＫ  ＳＹＮＣＨＲＯＮＩＺＡＴＩＯＮ  ＳＩＧＮＡＬ）が送信されるサブフレームインデックス及び／又は無線フレームインデックス情報は、ｉ）ＷＡＮ（Ｗｉｄｅ  Ａｒｅａ  Ｎｅｔｗｏｒｋ）通信関連サブフレームインデクシング及び／又は無線フレームインデクシングに基づいた情報、ｉｉ）Ｄ２Ｄ通信関連サブフレームインデクシング及び／又は無線フレームインデクシングに基づいた情報のうちの一つと定義することができる。
【０１３２】
これは、ＷＡＮ通信関連サブフレームインデクシング（及び／又は無線フレームインデクシング）とＤ２Ｄ通信関連サブフレームインデクシング（及び／又は無線フレームインデクシング）との間に一定のオフセットが存在する場合、Ｄ２ＤＳＳ（或いはＰＤ２ＤＳＣＨ、或いはＳＩＤＥＬＩＮＫ  ＳＹＮＣＨＲＯＮＩＺＡＴＩＯＮ  ＳＩＧＮＡＬ）が送信されるサブフレームインデックス（及び／又は無線フレームインデックス）情報がいずれの通信関連サブフレームインデクシング（及び／又は無線フレームインデクシング）を参照して定義されたのかを明確にするためである。
【０１３３】
ここで、該当オフセット情報は、基地局がＤ２Ｄ  ＵＥに予め定義されたシグナル（例、物理層シグナル或いは上位層シグナル）を介して知らせように設定したり、或いは予め固定された値と定義することができる。
【０１３４】
また、Ｄ２Ｄ通信は、ＵＥが送信を行う上りリンクリソースを使用するので、ＷＡＮ通信（すなわち、ＵＥが基地局に送信するＰＵＣＣＨやＰＵＳＣＨなどの各種既存の通信を意味する）と干渉を取り交わすようになる。
【０１３５】
このような状況下で、基地局は、上りリンクリソースを介して送信されるＷＡＮ通信関連制御／データ情報（例、ＵＣＩ）及びＤ２Ｄ通信関連制御／フィードバック情報のうちの少なくとも一つを保護するために、これらの情報を、Ｄ２Ｄ  ＵＥ（及び／又はＮｏｎ−Ｄ２Ｄ  ＵＥ）が一部の上りリンクリソースに限定又はシフトして送信するように設定することができる。言い換えると、限定又はシフトされた一部の上りリンクリソースでは、Ｄ２Ｄ通信から受信される干渉の量が少ないか全くない場合がある。
【０１３６】
また、一部の上りリンクリソースに限定又はシフトするために、ＴＤＤシステム下の基地局は、Ｄ２Ｄ  ＵＥ（及び／又はＮｏｎ−Ｄ２Ｄ  ＵＥ）にＵＬ  ＡＣＫ／ＮＡＣＫ（例、ＰＤＳＣＨの受信成功有無に対する情報）送信タイムラインを再定義するための目的で、追加的な上りリンク−下りリンク設定（ＵＬ−ＤＬ  Ｃｏｎｆｉｇｕｒａｔｉｏｎ）情報（すなわち、ＤＬ  ＨＡＲＱ  Ｒｅｆｅｒｅｎｃｅ  Ｃｏｎｆｉｇｕｒａｔｉｏｎ）を知らせるように設定することができる。
【０１３７】
ここで、下りリンクＨＡＲＱ参照設定（ＤＬ  ＨＡＲＱ  Ｒｅｆｅｒｅｎｃｅ  Ｃｏｎｆｉｇｕｒａｔｉｏｎ）に関する情報は、基地局がＤ２Ｄ  ＵＥ（及び／又はＮｏｎ−Ｄ２Ｄ  ＵＥ）に予め定義されたシグナル（例、物理層シグナル或いは上位層シグナル）を介して知らせるように設定したり、或いは予め特定の上りリンク−下りリンク設定と定義することができる。また、下りリンクＨＡＲＱ参照設定に利用できる上りリンク−下りリンク設定は、相対的に多くの個数の下りリンクサブフレーム（ＤＬ  ｓｕｂｆｒａｍｅ）を有している上りリンク−下りリンク設定のうちの一つ或いは一部と定義することができる。
【０１３８】
例えば、下りリンクＨＡＲＱ参照設定は、上りリンク−下りリンク設定＃２（すなわち、ＤＳＵＤＤＤＳＵＤＤ）、上りリンク−下りリンク設定＃４（すなわち、ＤＳＵＵＤＤＤＤＤＤ）及び上りリンク−下りリンク設定＃５（すなわち、ＤＳＵＤＤＤＤＤＤＤ）のうちの一つとして指定又はシグナルすることができる。この場合、Ｄ２ＤＳＳ（或いはＰＤ２ＤＳＣＨ、或いはＳＩＤＥＬＩＮＫ  ＳＹＮＣＨＲＯＮＩＺＡＴＩＯＮ  ＳＩＧＮＡＬ）が送信できるサブフレームインデックスは、下りリンクＨＡＲＱ参照設定上で、上りリンクサブフレーム（ＵＬ  Ｓｕｂｆｒａｍｅ、すなわち、ＷＡＮ通信関連制御／データ情報（及び／又はＤ２Ｄ通信関連制御／フィードバック情報）が集中的に送信される上りリンクサブフレーム）に利用できるサブフレームインデックス（例、ＵＬ  Ｓｕｂｆｒａｍｅ＃２、＃３、＃７）でないと同時に、既存のＬＴＥ標準上に定義された７個の上りリンク−下りリンク設定（すなわち、表２）で相対的に上りリンクサブフレームに利用される可能性の高いサブフレームインデックスと定義することができる。上述した表２において、これらの条件を満足するサブフレームインデックスは４或いは８になる。ここで、ＷＡＮ通信関連サブフレームインデクシング（及び／又は無線フレームインデクシング）とＤ２Ｄ通信関連サブフレームインデクシング（及び／又は無線フレームインデクシング）との間にオフセットがない状況を仮定した。
【０１３９】
また、本発明に係る一部の上りリンクリソースへの限定或いはシフティングは、ＴＤＤシステムの上りリンク−下りリンク設定とは関係なく、Ｄ２ＤＳＳ（或いはＰＤ２ＤＳＣＨ、或いはＳＩＤＥＬＩＮＫ  ＳＹＮＣＨＲＯＮＩＺＡＴＩＯＮ  ＳＩＧＮＡＬ）が送信されるサブフレームインデックス及び／又は無線フレームインデックスを保証できるという長所を有すると共に、ＷＡＮ通信関連制御／データ情報とＤ２ＤＳＳ（或いはＰＤ２ＤＳＣＨ、或いはＳＩＤＥＬＩＮＫ  ＳＹＮＣＨＲＯＮＩＺＡＴＩＯＮ  ＳＩＧＮＡＬ）の送／受信間の干渉を回避したり、Ｄ２Ｄ通信関連制御／フィードバック情報とＤ２ＤＳＳ（或いはＰＤ２ＤＳＣＨ、或いはＳＩＤＥＬＩＮＫ  ＳＹＮＣＨＲＯＮＩＺＡＴＩＯＮ  ＳＩＧＮＡＬ）の送／受信間の干渉を回避できるという長所も有する。
【０１４０】
さらに、ＷＡＮ通信関連サブフレームインデクシング（及び／又は無線フレームインデクシング）とＤ２Ｄ通信関連サブフレームインデクシング（及び／又は無線フレームインデクシング）との間にＫのオフセットが存在し、Ｄ２ＤＳＳ（或いはＰＤ２ＤＳＣＨ、或いはＳＩＤＥＬＩＮＫ  ＳＹＮＣＨＲＯＮＩＺＡＴＩＯＮ  ＳＩＧＮＡＬ）が送信できるサブフレームインデックスがＷＡＮ通信関連サブフレームインデクシング（及び／又は無線フレームインデクシング）をベースにして定義される場合、Ｄ２Ｄ  ＵＥは、Ｄ２ＤＳＳ（或いはＰＤ２ＤＳＣＨ、或いはＳＩＤＥＬＩＮＫ  ＳＹＮＣＨＲＯＮＩＺＡＴＩＯＮ  ＳＩＧＮＡＬ）が送信されるサブフレームインデックスが４或いは８に設定又はシグナルされたとしても、Ｄ２Ｄ通信関連サブフレームインデクシング（及び／又は無線フレームインデクシング）の観点では（４＋Ｋ）或いは（８＋Ｋ）と解釈するようになる。
【０１４１】
その一方で、ＷＡＮ通信関連サブフレームインデクシング（及び／又は無線フレームインデクシング）とＤ２Ｄ通信関連サブフレームインデクシング（及び／又は無線フレームインデクシング）との間にＫのオフセットが存在し、Ｄ２ＤＳＳ（或いはＰＤ２ＤＳＣＨ、或いはＳＩＤＥＬＩＮＫ  ＳＹＮＣＨＲＯＮＩＺＡＴＩＯＮ  ＳＩＧＮＡＬ）が送信できるサブフレームインデックスがＤ２Ｄ通信関連サブフレームインデクシング（及び／又は無線フレームインデクシング）をベースにして定義される場合、Ｄ２Ｄ  ＵＥは、Ｄ２ＤＳＳ（或いはＰＤ２ＤＳＣＨ、或いはＳＩＤＥＬＩＮＫ  ＳＹＮＣＨＲＯＮＩＺＡＴＩＯＮ  ＳＩＧＮＡＬ）が送信されるサブフレームインデックスが（４＋Ｋ）或いは（８＋Ｋ）として設定又はシグナルされたとしても、ＷＡＮ通信関連サブフレームインデクシング（及び／又は無線フレームインデクシング）の観点では４或いは８と解釈するようになる。
【０１４２】
他の例として、上りリンク−下りリンク設定＃４を除外（すなわち、上りリンク−下りリンク設定＃２、＃４、＃５のうち上りリンク−下りリンク設定＃４のみがサブフレームインデックス＃３を上りリンクサブフレームに用いるので、例外処理した）した残りの下りリンクＨＡＲＱ参照設定上で上りリンクサブフレームに利用できるサブフレームインデックス（例、ＵＬ  Ｓｕｂｆｒａｍｅ＃２、＃７）でないと同時に、既存の標準上に定義された７個の上りリンク−下りリンク設定（すなわち、表２）で相対的に上りリンクサブフレームに利用される可能性の高いサブフレームインデックスと定義することができる。上述した表２において、これらの条件を満足するサブフレームインデックスは３になる。ここで、ＷＡＮ通信関連サブフレームインデクシング（及び／又は無線フレームインデクシング）とＤ２Ｄ通信関連サブフレームインデクシング（及び／又は無線フレームインデクシング）との間にオフセットがない状況を仮定した。
【０１４３】
更に他の例において、Ｄ２ＤＳＳ（或いはＰＤ２ＤＳＣＨ、或いはＳＩＤＥＬＩＮＫ  ＳＹＮＣＨＲＯＮＩＺＡＴＩＯＮ  ＳＩＧＮＡＬ）が送信できるサブフレームインデックス（及び／又は無線フレームインデックス）を多数に定義又はシグナルし、これらのうちいずれのサブフレームインデックス（及び／又は無線フレームインデックス）をベースにしてＤ２ＤＳＳが送信されるのかによって、ｉ）異なるＤ２ＤＳＳシーケンス、或いはｉｉ）異なるＺａｄｏｆｆ−Ｃｈｕルートシーケンスインデックスをベースにして作られたＤ２ＤＳＳシーケンスを用いるように設定することもできる。
【０１４４】
ここで、ｉ）サブフレームインデックス（及び／又は無線フレームインデックス）とＤ２ＤＳＳシーケンスとの間の連動関係、或いはｉｉ）サブフレームインデックス（及び／又は無線フレームインデックス）とＤ２ＤＳＳシーケンスを作るのに必要なＺａｄｏｆｆ−Ｃｈｕルートシーケンスインデックスとの間の連動関係は、基地局がＤ２Ｄ  ＵＥに予め定義されたシグナル（例、物理層シグナル或いは上位層シグナル）を介して知らせるように設定したり、或いは連動関係を予め定義することもできる。
【０１４５】
また、この場合、Ｄ２ＤＳＳ受信端末は、多数のＤ２ＤＳＳシーケンスに対するブラインド検出（Ｂｌｉｎｄ  Ｄｅｔｅｃｔｉｏｎ）を通じて、Ｄ２ＤＳＳ送信端末がいずれのサブフレームインデックス（及び／又は無線フレームインデックス）を通じてＤ２ＤＳＳを送信したのかを把握するようになる。
【０１４６】
また、Ｄ２ＤＳＳ（或いはＰＤ２ＤＳＣＨ、或いはＳＩＤＥＬＩＮＫ  ＳＹＮＣＨＲＯＮＩＺＡＴＩＯＮ  ＳＩＧＮＡＬ）が送信できる特定のサブフレームインデックス（及び／又は無線フレームインデックス）をシグナルし、シグナルされた特定のサブフレームインデックス（及び／又は無線フレームインデックス）によって異なるＤ２ＤＳＳシーケンスを用いたり、或いは異なるＺａｄｏｆｆ−Ｃｈｕルートシーケンスインデックスをベースにして作られたＤ２ＤＳＳシーケンスを用いるように設定することもできる。
【０１４７】
また、Ｄ２ＤＳＳ受信端末が、Ｄ２ＤＳＳ（或いはＰＤ２ＤＳＣＨ、或いはＳＩＤＥＬＩＮＫ  ＳＹＮＣＨＲＯＮＩＺＡＴＩＯＮ  ＳＩＧＮＡＬ）が送信されたサブフレームインデックス（及び／又は無線フレームインデックス）を、Ｄ２ＤＳＳの反復パターン及び／又はＤ２ＤＳＳシーケンスを通じて把握するように設定することもできる。さらに、Ｄ２ＤＳＳ送信端末が、シグナルされたＤ２ＤＳＳの反復パターン（及び／又はＤ２ＤＳＳシーケンス）を通じていずれのサブフレームインデックス（及び／又は無線フレームインデックス）を通じてＤ２ＤＳＳを送信しなければならないのかを判断するように設定することもできる。
【０１４８】
ここで、サブフレームインデックス（及び／又は無線フレームインデックス）とシグナルされたＤ２ＤＳＳの反復パターン（及び／又はＤ２ＤＳＳシーケンス）との間の連動関係は、基地局がＤ２Ｄ  ＵＥに予め定義されたシグナル（例、物理層シグナル或いは上位層シグナル）を介して知らせるように設定したり、或いは連動関係を予め定義することもできる。
【０１４９】
さらに、本発明に係るＤ２ＤＳＳ（或いはＰＤ２ＤＳＣＨ、或いはＳＩＤＥＬＩＮＫ  ＳＹＮＣＨＲＯＮＩＺＡＴＩＯＮ  ＳＩＧＮＡＬ）が予め定義されたサブフレームインデックス（及び／又は無線フレームインデックス）上でのみ送信されるようにする場合、ＰＤ２ＤＳＣＨなどを介して伝達される無線フレームインデックス情報及び／又はサブフレームインデックス情報を表現するビットの個数を減少させることもある。
【０１５０】
例えば、Ｄ２ＤＳＳが予め定義された４０ｍｓの周期で送信されるが、その送信位置が４０ｍｓのウィンドウ以内では１番目の無線フレームのサブフレームインデックス＃３であると定められていると、ＰＤ２ＤＳＣＨでは（１０ビットでない）８ビット（すなわち、１０２４０ｍｓ／４０ｍｓ＝２５６、ｌｏｇ２（２５６）＝８ビット）で１０２４個の無線フレーム領域で何番目の４０ｍｓのウィンドウに属するのかのみを知らせればよい。言い換えると、ＰＤ２ＤＳＣＨ上のこのような８ビットを受信したＤ２Ｄ  ＵＥは、ＰＤ２ＤＳＣＨ送信ＵＥ（及び／又はＤ２ＤＳＳ送信ＵＥ）が仮定している時間同期情報（すなわち、無線フレームインデックス情報及び／又はサブフレームインデックス情報）を把握するようになる。
【０１５１】
その一方で、Ｄ２ＤＳＳ（或いはＰＤ２ＤＳＣＨ、或いはＳＩＤＥＬＩＮＫ  ＳＹＮＣＨＲＯＮＩＺＡＴＩＯＮ  ＳＩＧＮＡＬ）が予め定義されたサブフレームインデックス（及び／又は無線フレームインデックス）上でのみ送信されるようにする実施例が適用されないと、ＰＤ２ＤＳＣＨ上には、無線フレームインデックス情報を知らせるための１０ビットとサブフレームインデックス情報を知らせるための４ビット（すなわち、Ｃｅｉｌｉｎｇ（ｌｏｇ２（１０））＝４ビット）、すなわち、合計１４ビットが必要になる。
【０１５２】
また、ＰＤ２ＤＳＣＨなどを介して伝達される無線フレームインデックス情報及び／又はサブフレームインデックス情報は、ＷＡＮ通信関連サブフレームインデクシング（及び／又は無線フレームインデクシング）に基づいた情報、及びＤ２Ｄ通信関連サブフレームインデクシング（及び／又は無線フレームインデクシング）に基づいた情報のうちの一つと定義することができる。
【０１５３】
さらに、本発明によってＤ２ＤＳＳが予め定義されたサブフレームインデックス（及び／又は無線フレームインデックス）上でのみ送信されるようにする場合、Ｄ２ＤＳＳが送信されるサブフレームインデックス（及び／又は無線フレームインデックス）情報は、予め定義されたシグナル（例、ＰＤ２ＤＳＣＨ）のデコーディングに用いられる参照信号（例、ＤＭ−ＲＳ）のシーケンスを形成する入力パラメータとして用いることができる。
【０１５４】
例えば、Ｄ２ＤＳＳが送信されるサブフレームインデックス（及び／又は無線フレームインデックス）情報は、ＰＤ２ＤＳＣＨのデコーディングに用いられるＤＭ−ＲＳの循環シフト（Ｃｙｃｌｉｃ  Ｓｈｉｆｔ）値を決定する多数のパラメータのうちの一つ（例、
【化８】
0006391806.tif 000024
と類似する役割（或いは、該当サブフレームインデックス情報から
【化９】
0006391806.tif 000025
（すなわち、無線フレーム内のスロットナンバー（Ｓｌｏｔ  Ｎｕｍｂｅｒ  Ｗｉｔｈｉｎ  Ａ  Ｒａｄｉｏ  Ｆｒａｍｅ））値を導出するように設定することもできる。））として用いられるように設定することができる。
【０１５５】
また、Ｄ２ＤＳＳ関連ＨＯＰカウント値別にＤ２ＤＳＳ送信が行われるサブフレームインデックスが異なる形に定義される場合、（異なるＨＯＰカウント値／Ｄ２ＤＳＳ送信が行われる異なるサブフレームインデックスとは関係なく）同一のＤ２ＤＳＳシーケンス或いは同一のＺａｄｏｆｆ−Ｃｈｕルートシーケンスインデックスをベースにして作られたＤ２ＤＳＳシーケンスを使用するようにし、ＰＤ２ＤＳＣＨでＨＯＰカウント値及びシステムフレームナンバー（Ｓｙｓｔｅｍ  Ｆｒａｍｅ  Ｎｕｍｂｅｒ、ＳＦＮ）のＭＳＢ（Ｍｏｓｔ−ｓｉｇｎｉｆｉｃａｎｔ  Ｂｉｔ）（例、８ビット）を知らせたり、ＨＯＰカウント値及び無線フレームインデックスのＭＳＢ（Ｍｏｓｔ−ｓｉｇｎｉｆｉｃａｎｔ  Ｂｉｔ）を知らせることによって、これを受信したＤ２Ｄ  ＵＥは、該当情報の組合せを通じてＤ２ＤＳＳが送信される最終サブフレームインデックスを把握することもできる。
【０１５６】
ここで、Ｄ２ＤＳＳ関連ＨＯＰカウント値は、同期化ソース（Ｓｙｎｃｈｒｏｎｉｚａｔｉｏｎ  Ｓｏｕｒｃｅ、例、０のＨＯＰカウント）から送信されたＤ２ＤＳＳが他のＤ２Ｄ  ＵＥによってリレーされる度に一つずつ増加し得る。また、ＨＯＰカウント値別に異なるＤ２ＤＳＳ送信関連サブフレームインデックス情報は、基地局がＤ２Ｄ  ＵＥに予め定義されたシグナル（例、物理層シグナル或いは上位層シグナル）を介して知らせるように設定したり、或いは固定された値と予め定義することができる。
【０１５７】
さらに、上述した本発明の各実施例は、本発明の具現方法のうちの一つとして含まれ得るので、一種の提案方式として見なすことができることは明白な事実である。また、前記説明した提案方式は独立的に具現することもできるが、一部の提案方式の組合せ（或いは併合）形態で具現することもできる。また、上述した各実施例は、ＴＤＤシステムの場合（例、（ＴＤＤシステム下の）基地局カバレッジ内にあるＤ２Ｄ  ＵＥが、（ＴＤＤシステム下の）基地局カバレッジ外にあるＤ２Ｄ  ＵＥにＤ２ＤＳＳを送信する場合）に限定的に適用されるように設定することもできる。
【０１５８】
図１３は、本発明の一実施例に適用できる基地局及び端末を例示する。
【０１５９】
無線通信システムにリレーが含まれる場合、通信は、バックホールリンクで基地局とリレーとの間で行われ、アクセスリンクでリレーと端末との間で行われる。よって、図面に例示した基地局又は端末は、状況に合わせてリレーに取り替えることができる。
【０１６０】
図１３を参照すると、無線通信システムは、基地局（ＢＳ）１１０及び端末（ＵＥ）１２０を含む。基地局１１０は、プロセッサ１１２、メモリ１１４及び無線周波数（Ｒａｄｉｏ  Ｆｒｅｑｕｅｎｃｙ、ＲＦ）ユニット１１６を含む。プロセッサ１１２は、本発明で提案した手続及び／又は方法を具現するように構成することができる。メモリ１１４は、プロセッサ１１２と連結され、プロセッサ１１２の動作と関連する多様な情報を格納する。ＲＦユニット１１６は、プロセッサ１１２と連結され、無線信号を送信及び／又は受信する。端末１２０は、プロセッサ１２２、メモリ１２４及びＲＦユニット１２６を含む。プロセッサ１２２は、本発明で提案した手続及び／又は方法を具現するように構成することができる。メモリ１２４は、プロセッサ１２２と連結され、プロセッサ１２２の動作と関連する多様な情報を格納する。ＲＦユニット１２６は、プロセッサ１２２と連結され、無線信号を送信及び／又は受信する。基地局１１０及び／又は端末１２０は、単一アンテナ又は多重アンテナを有することができる。
【０１６１】
以上で説明した実施例は、本発明の構成要素と特徴が所定の形態で結合されたものである。各構成要素又は特徴は、別の明示的な言及がない限り、選択的なものとして考慮しなければならない。各構成要素又は特徴は、他の構成要素や特徴と結合されていない形態で実施されてもよい。また、一部の構成要素及び／又は特徴を結合して本発明の実施例を構成することもできる。本発明の実施例で説明する動作の順序は変更されてもよい。ある実施例の一部の構成や特徴は、他の実施例に含まれてもよく、又は、他の実施例の対応する構成又は特徴に置換されてもよい。特許請求の範囲において明示的な引用関係にない請求項を結合して実施例を構成したり、出願後の補正によって新たな請求項として含めたりすることができるということは明らかである。
【０１６２】
本文書において、基地局によって行われると説明した特定の動作は、場合に応じては、その上位ノードによって行われてもよい。すなわち、基地局を含む複数のネットワークノードからなるネットワークで端末との通信のために行われる様々な動作が、基地局又は基地局以外の他のネットワークノードによって行われることは明らかである。基地局は、固定局、Ｎｏｄｅ  Ｂ、ｅＮｏｄｅＢ（ｅＮＢ）、アクセスポイントなどの用語に代替されてもよい。
【０１６３】
本発明に係る実施例は、多様な手段、例えば、ハードウェア、ファームウェア、ソフトウェア又はこれらの結合などによって具現されてもよい。ハードウェアによる具現の場合、本発明の一実施例は、１つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現されてもよい。
【０１６４】
ファームウェアやソフトウェアによる具現の場合、本発明の一実施例は、以上で説明した機能又は動作を行うモジュール、手順、関数などの形態で具現されてもよい。ソフトウェアコードは、メモリユニットに格納され、プロセッサによって駆動され得る。
【０１６５】
前記メモリユニットは、前記プロセッサの内部又は外部に位置して、公知の様々な手段によって前記プロセッサとデータを交換することができる。
【０１６６】
本発明は、本発明の特徴を逸脱しない範囲内で他の特定の形態に具体化できるということは、当業者にとって自明である。したがって、前記の詳細な説明は、全ての面で制限的に解釈してはならず、例示的なものとして考慮しなければならない。本発明の範囲は、添付の請求項の合理的解釈によって決定されなければならず、本発明の等価的範囲内での全ての変更は本発明の範囲に含まれる。
【産業上の利用可能性】
【０１６７】
上述した無線通信システムにおけるＤ２Ｄ（Ｄｅｖｉｃｅ−ｔｏ−Ｄｅｖｉｃｅ）通信のための同期化信号送信方法及びこのための装置は、３ＧＰＰ  ＬＴＥシステムに適用される例を中心に説明したが、３ＧＰＰ  ＬＴＥシステム以外にも多様な無線通信システムに適用することが可能である。
【図１】
0006391806.tif 000026
【図２】
0006391806.tif 000027
【図３】
0006391806.tif 000028
【図４】
0006391806.tif 000029
【図５】
0006391806.tif 000030
【図６】
0006391806.tif 000031
【図７】
0006391806.tif 000032
【図８】
0006391806.tif 000033
【図９】
0006391806.tif 000034
【図１０】
0006391806.tif 000035
【図１１】
0006391806.tif 000036
【図１２】
0006391806.tif 000037
【図１３】
0006391806.tif 000038